(57)【要約】【課題】情報記録／再生装置を備えた映像表示装置であって、情報記録／再生装置を効率的に冷却するための放熱構造を低コストにて実現させる情報記録／再生装置を備えた映像表示装置の提供。【解決手段】ディスク装置１１などを支持するためのシャーシ１３の、ディスク装置１１と対向する部分に、貫通孔２３を形成し、且つ、筐体１７を構成するバックキャビネット１７ｂの底面部分に吸気口となる吸気孔２２を形成し、上面部分に排気口となる排気孔２１を形成することにより、吸気孔２２から貫通孔２３を介して排気孔２１へと至る通風路を形成する。これにより、装置内部（特にディスク装置１１周辺）と外部との間における対流を促し、冷却効果を得る。【選択図】図５
2007110200.tif 000002
【特許請求の範囲】
【請求項１】
情報記録媒体に対する信号の読み込み若しくは書き込み又は読み書きを行う情報記録／再生装置と、表示パネルと、前記情報記録／再生装置を支持するシャーシと、これらの構成部品を納める筐体と、を備えた映像表示装置であって、前記シャーシの前記情報記録／再生装置と対向する部分に貫通孔を設けたことを特徴とする情報記録／再生装置を備えた映像表示装置。
【請求項２】
前記筐体の上面に、排熱用の排気口となる複数の排気孔を形成すると共に、前記筐体の底面に、吸気口となる複数の吸気孔を形成したことにより、前記筐体の底面側外部から上面側外部へと至る通風路を形成したことを特徴とする請求項１記載の情報記録／再生装置を備えた映像表示装置。
【請求項３】
前記筐体の底面側外部から上面側外部へと至る通風路上に前記情報記録／再生装置が配置されるように構成したことを特徴とする請求項２記載の情報記録／再生装置を備えた映像表示装置。
【請求項４】
前記シャーシが前記筐体内に縦に納められ、前記貫通孔の縦方向の長さ、若しくは、前記貫通孔が複数設けられることによって形成される貫通孔形成範囲の縦方向の長さを、前記シャーシに支持された状態における前記情報記録／再生装置の縦方向の長さより長く形成することにより、前記吸気孔から前記貫通孔を介して前記排気孔へ至る通風路を形成したことを特徴とする請求項２又は請求項３に記載の情報記録／再生装置を備えた映像表示装置。
【請求項５】
前記筐体がフロントキャビネットとバックキャビネットとによって構成され、前記表示パネルは前記シャーシに保持され、当該シャーシが前記フロントキャビネットに取り付けられ、当該シャーシの前記表示パネルが取り付けられる面とは逆の面に前記情報記録／再生装置が取り付けられることにより、前記表示パネル及び前記シャーシ及び前記情報記録／再生装置が前記筐体内に納められ、前記排気孔と前記吸気孔が前記バックキャビネットの上面と底面に形成されたことを特徴とする請求項２乃至請求項４の何れか１つに記載の情報記録／再生装置を備えた映像表示装置。
【発明の詳細な説明】
【技術分野】
【０００１】
本発明は、情報記録／再生装置を備えた映像表示装置に関し、特に情報記録／再生装置の放熱構造に配慮した情報記録／再生装置を備えた映像表示装置に関する。
【背景技術】
【０００２】
映像表示装置（例えば液晶テレビやプラズマディスプレイなど）は、薄型化や小型化（表示画面の小型化ということではなく、画面サイズに対する装置全体の小型化）が進んでおり、薄型化・小型化が図られた映像表示装置の内部は、発熱部品を含む各部品が密集して設けられているため、熱問題が生じやすい。従って、このような映像表示装置内に、さらに発熱部品である情報記録／再生装置（例えばＤＶＤ再生装置）を内蔵させる場合には、熱対策を講じることが求められる。
【０００３】
映像表示装置（プラズマディスプレイ装置）の熱対策に関する従来技術が特許文献１によって、また、情報記録／再生装置（光ディスク装置）の熱対策に関する従来技術が特許文献２などによって開示されている。
【０００４】
【特許文献１】特開平１１−２８４３７９号公報
【特許文献２】特開２００５−１６６２１８号公報
【発明の開示】
【発明が解決しようとする課題】
【０００５】
装置内の熱対策の代表的なものとしては、冷却用のファンを設ける方法があるが、部品点数や作業工程の増加によるコストの増大や、装置の騒音の発生、消費電力の増加を伴うものとなる。また、冷却用のファンを設けるにしても、的確な通風路（熱気と冷気を循環させる流れ）が形成されていなければ、単に熱風を攪拌するのみとなってしまい、効率的な冷却効果を得ることはできない。
【０００６】
本発明は、上述した点に鑑み、情報記録／再生装置を備えた映像表示装置であって、情報記録／再生装置を効率的に冷却するための放熱構造を低コストにて実現させる情報記録／再生装置を備えた映像表示装置を提供することを目的とする。
【課題を解決するための手段】
【０００７】
請求項１の情報記録／再生装置を備えた映像表示装置は、情報記録媒体に対する信号の読み込み若しくは書き込み又は読み書きを行う情報記録／再生装置と、表示パネルと、前記情報記録／再生装置を支持するシャーシと、これらの構成部品を納める筐体と、を備えた映像表示装置であって、前記シャーシの前記情報記録／再生装置と対向する部分に貫通孔を設けたことを特徴とする。
【０００８】
上記構成によれば、情報記録／再生装置を支持するシャーシの、情報記録／再生装置と対向する部分（即ち情報記録／再生装置との間の空間的余裕が小さい部分）に、貫通孔が形成されるため、当該部分に対流が生じ易くなる。
【０００９】
請求項２の情報記録／再生装置を備えた映像表示装置は、請求項１記載の情報記録／再生装置を備えた映像表示装置であって、前記筐体の上面に、排熱用の排気口となる複数の排気孔を形成すると共に、前記筐体の底面に、吸気口となる複数の吸気孔を形成したことにより、前記筐体の底面側外部から上面側外部へと至る通風路を形成したことを特徴とする。
【００１０】
上記構成によれば、筐体の底面側外部から上面側外部へと至る通風路が形成されるため、装置内部と装置外部の間における対流が生じ易くなる。
【００１１】
請求項３の情報記録／再生装置を備えた映像表示装置は、請求項２記載の情報記録／再生装置を備えた映像表示装置であって、前記筐体の底面側外部から上面側外部へと至る通風路上に前記情報記録／再生装置が配置されるように構成したことを特徴とする。
【００１２】
上記構成によれば、筐体の底面側外部から上面側外部へと至る通風路上に情報記録／再生装置が配置される。
【００１３】
請求項４の情報記録／再生装置を備えた映像表示装置は、請求項２又は請求項３に記載の情報記録／再生装置を備えた映像表示装置であって、前記シャーシが前記筐体内に縦に納められ、前記貫通孔の縦方向の長さ、若しくは、前記貫通孔が複数設けられることによって形成される貫通孔形成範囲の縦方向の長さを、前記シャーシに支持された状態における前記情報記録／再生装置の縦方向の長さより長く形成することにより、前記吸気孔から前記貫通孔を介して前記排気孔へ至る通風路を形成したことを特徴とする。
【００１４】
上記構成によれば、筐体の底面側外部から貫通孔を介して上面側外部へと至る通風路が形成されるため、情報記録／再生装置の近傍と装置外部との間における対流が生じ易くなる。
【００１５】
請求項５の情報記録／再生装置を備えた映像表示装置は、請求項２乃至請求項４の何れか１つに記載の情報記録／再生装置を備えた映像表示装置であって、前記筐体がフロントキャビネットとバックキャビネットとによって構成され、前記表示パネルは前記シャーシに保持され、当該シャーシが前記フロントキャビネットに取り付けられ、当該シャーシの前記表示パネルが取り付けられる面とは逆の面に前記情報記録／再生装置が取り付けられることにより、前記表示パネル及び前記シャーシ及び前記情報記録／再生装置が前記筐体内に納められ、前記排気孔と前記吸気孔が前記バックキャビネットの上面と底面に形成されたことを特徴とする。
【発明の効果】
【００１６】
本発明の請求項１の、情報記録媒体に対する信号の読み込み若しくは書き込み又は読み書きを行う情報記録／再生装置と、表示パネルと、前記情報記録／再生装置を支持するシャーシと、これらの構成部品を納める筐体と、を備えた映像表示装置であって、前記シャーシの前記情報記録／再生装置と対向する部分に貫通孔を設けたことを特徴とする情報記録／再生装置を備えた映像表示装置によれば、情報記録／再生装置を支持するシャーシの、情報記録／再生装置と対向する部分に、貫通孔が形成されるため、当該部分に対流が生じ易くなり、従って、情報記録／再生装置に対する冷却効果を得ることができる。即ち、「シャーシの、情報記録／再生装置と対向する部分」は、情報記録／再生装置との間の空間的余裕が小さい部分であるため、対流が生じ難い部分（熱がこもり易い部分）であるが、ここに貫通孔を形成することで、対流の発生を促し、冷却効果を得ることができるのである。
【００１７】
本発明の請求項２の、前記筐体の上面に、排熱用の排気口となる複数の排気孔を形成すると共に、前記筐体の底面に、吸気口となる複数の吸気孔を形成したことにより、前記筐体の底面側外部から上面側外部へと至る通風路を形成したことを特徴とする請求項１記載の情報記録／再生装置を備えた映像表示装置によれば、筐体の底面側外部から上面側外部へと至る通風路が形成されるため、装置内部と装置外部の間における対流が生じ易くなるため、装置内の冷却効果を得ることができる。これによって、冷却ファンのような部材を設けないようにすることも可能であり、冷却ファンを設けることによる、部品点数・作業工程の増加によるコストの増大や、装置の騒音の発生、消費電力の増加といった問題の発生を防止することができる。また、冷却ファンを設ける場合であっても、「筐体の底面側外部から上面側外部へと至る通風路」に生じる対流を助長するように冷却ファンを設けることにより、単に冷却ファンを設けたものに比して優れた冷却効果を得ることが可能となる。
【００１８】
本発明の請求項３の、前記筐体の底面側外部から上面側外部へと至る通風路上に前記情報記録／再生装置が配置されるように構成したことを特徴とする請求項２記載の情報記録／再生装置を備えた映像表示装置によれば、筐体の底面側外部から上面側外部へと至る通風路上に情報記録／再生装置が配置されるため、情報記録／再生装置に対する冷却効果を得ることができる。
【００１９】
本発明の請求項４の、前記シャーシが前記筐体内に縦に納められ、前記貫通孔の縦方向の長さ、若しくは、前記貫通孔が複数設けられることによって形成される貫通孔形成範囲の縦方向の長さを、前記シャーシに支持された状態における前記情報記録／再生装置の縦方向の長さより長く形成することにより、前記吸気孔から前記貫通孔を介して前記排気孔へ至る通風路を形成したことを特徴とする請求項２又は請求項３に記載の情報記録／再生装置を備えた映像表示装置によれば、筐体の底面側外部から貫通孔を介して上面側外部へと至る通風路が形成されるため、情報記録／再生装置の近傍と装置外部との間における対流がより生じ易くなり、情報記録／再生装置に対する冷却効果をより効果的に得ることができる。
【発明を実施するための最良の形態】
【００２０】
以下、本発明の具体的実施例について、図面を参照しながら説明する。なお、以下の実施態様は、本発明を具体化する際の一形態であって、本発明をその範囲内に限定するためのものではない。
【００２１】
図１は本実施例のディスク装置（ＤＶＤ）を内蔵した液晶テレビ（以下単にＤＶＤ内蔵ＬＣＤ）の外観の概略を示す斜視図であり、図２は同ＤＶＤ内蔵ＬＣＤのバックキャビネットを外した状態の背面図、図３は図２のディスク装置を取り外した状態を示す背面図である。
【００２２】
本実施例のＤＶＤ内蔵ＬＣＤ１は、ＤＶＤ（情報記録媒体）からの信号の読込みを行うディスク装置（情報記録／再生装置）１１、ＬＣＤモジュール（表示パネル）１２、シャーシ１３、シールド部材によって覆われたディスク装置制御基板（ディスク装置１１の制御や、ディスク装置１１から入力される信号に対する処理を行う基板）１４、メイン制御基板（装置全体の制御などを行う基板）１５、スピーカー１６等が、フロントキャビネット１７ａとバックキャビネット１７ｂによって構成される筐体１７の内部に備えられ、ＤＶＤ内蔵ＬＣＤ１を支持するための脚部１８がシャーシ１３に取り付けられる。
【００２３】
シャーシ１３はＬＣＤモジュール１２が取り付けられた上で、フロントキャビネット１７ａに取り付けられる。シャーシ１３のＬＣＤモジュール１２が取り付けられる面と逆の面には、ディスク装置１１・ディスク装置制御基板１４・メイン制御基板１５などが取り付けられ、フロントキャビネット１７ａにスピーカー１６等が取り付けられることによって、各構成部材が筐体１７内に備えられる。
【００２４】
図４は、バックキャビネット１７ｂを示した図（（ａ）：上面図、（ｂ）：背面図、（ｃ）：底面図）である。図に示されるように、バックキャビネット１７ｂの上面部分に複数の貫通孔（排気孔）２１が形成され、底面部分に複数の貫通孔（吸気孔）２２が形成される。また、図２及び図３に示されるように、シャーシ１３には、ディスク装置１１と対向する部分に貫通孔２３が形成される。貫通孔２３の縦方向（図３中のＸ方向）の長さは、ディスク装置１１の縦方向（シャーシ１３に支持された状態における縦方向であって図３中のＸ方向）の長さより長く形成され、従って、図２に示されるように、背面から見た際に、貫通孔２３はディスク装置１１の投影から上下にはみ出ることとなる。また、バックキャビネット１７ｂに形成される排気孔２１・吸気孔２２（各貫通孔が形成される範囲）と、シャーシ１３に取り付けられるディスク装置１１と、シャーシ１３に形成される貫通孔２３と、は背面側から見た際の縦方向（図３中のＸ方向）の同一直線上に配置されるように形成される。
【００２５】
上記構成により、ＤＶＤ内蔵ＬＣＤ１には、吸気孔２２から貫通孔２３を介して排気孔２１へと至る通風路が形成されることとなる。図５には図２のＡ−Ａ線に沿った断面概略図を示した。図に示されるように、ディスク装置１１に近接して通風路（図中では矢印で示した）が形成される。図６にはディスク装置１１の上面図（シャーシ１３に支持された状態において、シャーシ１３に対向する面）を示した。図から明らかなように、ディスク装置１１は、シャーシ１３側（通風路側）に対してピックアップユニット１１１が露呈するように構成される。また、図２から明らかなように、ディスク装置１１の底面（シャーシ１３に支持された状態において、バックキャビネット１７ｂに対向する面）側においてもピックアップユニット１１１が露呈しているため、図５に示されるように、ディスク装置１１がシャーシ１３に支持された状態において、ピックアップユニット１１１が通風路に近接するように構成される（対流による冷却効果がピックアップユニット１１１対して有効に得られる）こととなる。なお、ＬＣＤモジュール１２とシャーシ１３との間には、シャーシ１３にディスク装置１１やディスク装置制御基板１４、メイン制御基板１５などを取り付けるためにシャーシ１３の背面側（ディスク装置１１等が取り付けられる側）から正面側（ＬＣＤモジュール１２が取り付けられる側）へと挿通して取り付けられるネジ２５の先端部が、ＬＣＤモジュール１２に接触することを防止するための空間５０を形成する必要があり、図５に示されるように、当該空間５０を利用する形で通風路が形成される（余剰空間を利用して対流を促すようにしている）ため、効率的である（なお、本実施例のシャーシ１３は、複数種類のＬＣＤモジュールを取り付け可能な構成としていることに起因して、空間５０が比較的大きなものとなっている）。
【００２６】
以上のごとく、本実施例のＤＶＤ内蔵ＬＣＤ１によれば、ディスク装置１１を支持するシャーシ１３の、ディスク装置１１と対向する部分に、貫通孔２３が形成されるため、当該部分に対流が生じ易くなり、従って、ディスク装置１１に対する冷却効果を得ることができる。また、排気孔２１と吸気孔２２によって筐体１７（バックキャビネット１７ｂ）の底面側外部から上面側外部へと至る通風路が形成されるため、装置内部と装置外部の間における対流が生じ易くなり、装置内の冷却効果を得ることができる。加えて、通風路上にディスク装置１１が配置され、且つ、貫通孔２３によって、吸気孔２２から貫通孔２３を介して排気孔２１へと至る通風路が維持される（筐体１７の底面側外部から貫通孔２３を介して上面側外部へと至る通風路によって、ディスク装置１１の近傍と装置外部との間における対流がより生じ易くなる）ため、ディスク装置１１に対する効率的な冷却効果を得ることができる。これらによって、冷却ファンのような部材を設けないようにすることも可能であり、冷却ファンを設けることによる、部品点数・作業工程の増加によるコストの増大や、装置の騒音の発生、消費電力の増加といった問題の発生を防止することができる。また、冷却ファンを設ける場合であっても、「筐体の底面側外部から上面側外部へと至る通風路」に生じる対流を助長するように冷却ファンを設けることにより、単に冷却ファンを設けたものに比して優れた冷却効果を得ることが可能となる。
【００２７】
なお、本実施例では、シャーシ１３に形成する貫通孔２３を、図３に示されるように矩形の開口部によって構成するものとしたが、図７に示したように複数の貫通孔７１によって貫通孔形成範囲７０を形成するようにしてもよい。また、ディスク装置１１の側壁面（フレーム）に貫通孔を形成する（図５におけるディスク装置の上側壁面と下側壁面に貫通孔を形成する）ことにより、吸気孔２２から排気孔２１へと至る通風路上の障害を減少させ、より対流が生じ易くなる（冷却効果がより大きくなる）ようにしてもよい。
【００２８】
本実施例では、映像表示装置の具体例として液晶表示装置を用いて説明したが、本発明をこれに限るものではなく、その他の表示装置（例えば、プラズマディスプレイや有機ＥＬディスプレイなど）にも有効に適用でき、また、情報記録／再生装置の具体例としてディスク（ＤＶＤ）装置を用いて説明したが、その他の情報記録媒体（例えば、その他の光ディスク媒体やＨＤＤや半導体メモリなど）に対する信号の記録／再生を行う装置に対しても、熱問題の発生し得る装置であれば、本発明を有効に適用することができる。
【図面の簡単な説明】
【００２９】
【図１】ＤＶＤ内蔵型液晶テレビの外観の概略を示す斜視図
【図２】ＤＶＤ内蔵型液晶テレビのバックキャビネットを外した状態の背面図
【図３】図２のディスク装置を取り外した状態を示す背面図
【図４】バックキャビネットを示す図であり、（ａ）：上面図、（ｂ）：背面図、（ｃ）：底面図
【図５】図２のＡ−Ａ線に沿った断面図
【図６】ディスク装置の上面図
【図７】貫通孔形成範囲が形成されたシャーシを有するＤＶＤ内蔵型液晶テレビのバックキャビネットを外した状態の背面図
【符号の説明】
【００３０】
１      ＤＶＤ内蔵型液晶テレビ（情報記録／再生装置を備えた映像表示装置）
１１    ディスク装置（情報記録／再生装置）
１２    ＬＣＤモジュール（表示パネル）
１３    シャーシ
１７    筐体
１７ａ  フロントキャビネット
１７ｂ  バックキャビネット
２１    排気孔
２２    吸気孔
７０    貫通孔形成範囲
【図１】
2007110200.tif 000003
【図２】
2007110200.tif 000004
【図３】
2007110200.tif 000005
【図４】
2007110200.tif 000006
【図５】
2007110200.tif 000007
【図６】
2007110200.tif 000008
【図７】
2007110200.tif 000009